(57)【要約】      （修正有）【課題】太陽光発電装置を構成する太陽電池パネルを地上の所定高さ位置に安定して設置できる構造及び方法を提供する。【解決手段】地上に立設される支柱１１の設置構造であって、下部に複数のスリット１２を備え、かつスリットの始端部分においてスリット間の帯片１３が開く方向に屈曲可能とした筒状の支柱と、支柱の下部に位置して上端開口部分の周囲に上向きにつぼまる傾斜面２２を形成した筒状の埋設構造体２１とを備えており、所定の径の縦孔３１を地面に設けて縦孔に埋設構造体を収納し、埋設構造体上端の傾斜面の上から支柱を押し込んで、支柱の下部に設けた帯片を傾斜面に沿うように押し拡げるとともに、帯片の先端を縦孔の壁面に向かって押し込んだ上、筒状の支柱の上部からコンクリートを流し込み、上端開口部分から筒状の埋設構造体、および縦孔にもコンクリートを充填するようにした。【選択図】図１
2013079536.tif 000002
【特許請求の範囲】
【請求項１】
地上に立設される支柱の設置構造であって、
下部に複数のスリットを備え、かつスリットの始端部分においてスリット間の帯片が開く方向に屈曲可能とした筒状の支柱と、該支柱の下部に位置して上端開口部分の周囲に上向きにつぼまる傾斜面を形成した筒状の埋設構造体とを備えており、
所定の径の縦孔を地面に設けて該縦孔に前記埋設構造体を収納し、前記埋設構造体上端の傾斜面の上から支柱を押し込んで、支柱の下部に設けた帯片を前記傾斜面に沿うように押し拡げるとともに、該帯片の先端を前記縦孔の壁面に向かって押し込んだ上、
前記筒状の支柱の上部からコンクリートを流し込み、前記上端開口部分から筒状の埋設構造体、および前記縦孔にもコンクリートを充填するようにしたことを特徴とする支柱の設置構造。
【請求項２】
前記筒状の支柱は、前記スリットの始端部分に該スリットの幅以上のサイズの小孔を設け、前記筒状の支柱の上部から流し込まれたコンクリートが、前記小孔から前記縦孔に流出して、縦孔内部にも容易にコンクリートが打設できるようにしたことを特徴とする請求項１記載の支柱の設置構造。
【請求項３】
前記筒状の支柱は、前記スリットの上部に適宜間隔の通孔を設け、この通孔を介して、縦孔内部にも容易にコンクリートが打設できるようにしたことを特徴とする請求項１記載の支柱の設置構造。
【請求項４】
前記埋設構造体は、底部が閉じた容器構造であり、当該埋設構造体の内部にもコンクリートが充填されることを特徴とする請求項１記載の支柱の設置構造。
【発明の詳細な説明】
【技術分野】
【０００１】
この発明は支柱の設置構造に関し、さらに詳しくは、太陽光発電装置用支柱の設置構造の改良に関する。
【背景技術】
【０００２】
近年、太陽光発電装置が環境破壊のない代替エネルギー源として注目され、例えば、建物の屋根に設置される光景が多く見受けられるようになっている。
この太陽光発電装置を遊休地等の屋外に設置する態様としては、太陽電池パネルを地上に直接設置することが多かった。
しかしながらこの場合には、太陽電池パネルの設置領域が土地の有効利用を狭めてしまう、という不都合をもたらす。このような不都合は、例えば、特許文献１および２に示されているように、地上に支柱を立設し、当該支柱の上部に太陽電池パネルを支持させることで解消することができる。
【先行技術文献】
【特許文献】
【０００３】
【特許文献１】特開平８−８８３８９号公報
【特許文献２】特開２０１１−１０８８５４号公報
【発明の概要】
【発明が解決しようとする課題】
【０００４】
特許文献１に記載された太陽光発電装置は、太陽電池パネルを支持する支柱の下端部にブロックを設け、当該ブロックを地中に埋設して設置する構造となっている。
しかしながら、特許文献１記載の太陽光発電装置における設置構造は、ブロックを地中に埋設するだけの構造であって、ブロックの埋設強度自体を堅牢にする構成とはなっていない。
【０００５】
また、特許文献２に記載された太陽光発電装置の設置構造及び設置方法は、支柱と、支柱の下部に位置する埋設構造体と、この埋設構造体の上部と支柱の下部とを連結する締結具とを備え、前記埋設構造体は、少なくとも外周側がコンクリートを介して地中に埋設されたものである。
したがって、支柱と埋設構造体とが別体であり、両者が連結固定具具を介して連結される構造であるため、それぞれの大きさを一体型よりも小さくでき、搬送時や設置時の取り扱いに伴う作業負担を軽減することができる。
しかしながら、外周側がコンクリートを介して地中に埋設されているとはいえ、地番との連結はコンクリートのみで行われていて安定を欠くものであり、前記埋設構造体を長くしないと安定的に地中に設置することはできない。
【０００６】
[発明の目的]
この発明の目的は、太陽光発電装置を構成する太陽電池パネル等を地上の所定高さ位置に設置するにあたり、強風下においても十分な耐久性を発揮することのできる支柱の設置構造を提供することにある。
【課題を解決するための手段】
【０００７】
前記目的を達成するため、この発明の支柱の設置構造は、地上に立設される支柱の設置構造であって、
下部に複数のスリットを備え、かつスリットの始端部分においてスリット間の帯片が開く方向に屈曲可能とした筒状の支柱と、該支柱の下部に位置して上端開口部分の周囲に上向きにつぼまる傾斜面を形成した筒状の埋設構造体とを備えており、
所定の径の縦孔を地面に設けて該縦孔に前記埋設構造体を収納し、前記埋設構造体上端の傾斜面の上から支柱を押し込んで、支柱の下部に設けた帯片を前記傾斜面に沿うように押し拡げるとともに、該帯片の先端を前記縦孔の壁面に向かって押し込んだ上、
前記筒状の支柱の上部からコンクリートを流し込み、前記上端開口部分から筒状の埋設構造体、および前記縦孔にもコンクリートを充填するようにしたことを特徴とするものである。
【０００８】
この発明の支柱の設置構造において、前記筒状の支柱は、前記スリットの始端部分に該スリットの幅以上のサイズの小孔を設け、前記筒状の支柱の上部から流し込まれたコンクリートが、前記小孔から前記縦孔に流出して、縦孔内部にも容易にコンクリートが打設できるようにしたことをも特徴とするものである。
【０００９】
この発明の支柱の設置構造において、前記筒状の支柱は、前記スリットの上部に適宜間隔の通孔を設け、この通孔を介して、縦孔内部にも容易にコンクリートが打設できるようにしたことをも特徴とするものである。
【００１０】
この発明の支柱の設置構造において、前記埋設構造体は、底部が閉じた容器構造であり、当該埋設構造体の内部にもコンクリートが充填されることをも特徴とするものである。
【発明の効果】
【００１１】
この発明によれば、筒状の支柱および筒状の埋設構造体がコンクリートを介して地中に埋設される構造であるから、支柱および埋設構造体の設置強度を高めることができるとともに、支柱の支持を安定した状態に保つことができる。
また、支柱と埋設構造体とが別体であり、両者が連結固定具具を介して連結される構造であるため、それぞれの大きさを一体型よりも小さくでき、搬送時や設置時の取り扱いに伴う作業負担を軽減することができる。
【００１２】
しかも、支柱の下端にスリットを介して形成した帯片を埋設構造体の傾斜面に沿って外向きに押し拡げ、その先端が縦孔の壁面に差し込まれるようにしてあるので、支柱を縦孔に対して一体的に固定することができるようになり、非常に安定した支柱の設置構造を得ることができる。
【図面の簡単な説明】
【００１３】
【図１】この発明の支柱の設置構造の１実施例を示し、組み立て方を示す説明図である。
【図２】組み立て状態を示す立面図である。
【図３】組み立て状態を示す斜視図である。
【図４】この発明の支柱の設置構造の他の実施例を示し、組み立て方を示す立面図である。
【発明を実施するための形態】
【００１４】
以下、この発明の支柱の設置構造の実施の形態について、図面を参照しながら詳細に説明する。
【００１５】
図１ないし図３において、１１はその上部に太陽電池パネル等の各種の機器（図示せず）を支えて地上に立設される筒状の支柱である。
該筒状の支柱１１は、下部に複数のスリット１２を備え、かつスリット１２の始端部分においてスリット間の帯片１３が開く方向に屈曲可能に構成されている。
【００１６】
そして、前記筒状の支柱１１は、前記スリット１２の始端部分に、該スリット１２の幅以上のサイズを有する好ましくは円形の小孔（拡径部）１４を設けてある。
したがって、前記筒状の支柱１１の上部から流し込まれたコンクリートが行き場を失っても、前記小孔１４から設置面に形成した後述の縦孔３１に流出して、縦孔３１内部にも容易にコンクリートが打設できるようになっている。
【００１７】
なお、前記筒状の支柱１１には、該支柱１１の上部に適宜間隔の通孔１５が設けてある。したがって、この通孔を介しても縦孔３１内部に容易にコンクリートが打設できるようになっている。
なお、太陽電池パネル等の各種の機器は、その脚部を前記支柱１１に簡易迅速に取り付けられるように構成されている。取り付けに際しては、前記支柱１１の上端に設けたフランジ部１６に、各種の機器の脚部の下端に設けたフランジ部をボルトナット等を用いて連結、固定することが望ましい
【００１８】
前記筒状の支柱１１の下部には、筒状でかつ平らな底面の埋設構造体２１が配置されている。そして、前記埋設構造体２１の上端開口部分の周囲には、上向きにつぼまる傾斜面２２が形成してある。
すなわち、前記埋設構造体２１は底部が閉じた容器構造であり、当該埋設構造体２１の内部にもコンクリートが充填されるようになっており、コンクリートの充填後は非常に重い支柱用の基礎となって前記支柱１１を確実に支持することができる。
【００１９】
このように各部が構成された支柱の設置構造においては、次のように設置場所における設置作業が進行する。
ａ）図１に示すように、所定の径の縦孔３１を地盤に設けて該縦孔３１に前記埋設構造体２１を収納する。
ｂ）次に、図２および図３に示すように、前記埋設構造体２１の上部から支柱１１を下降させ、前記埋設構造体２１の上端の上向きにつぼまる傾斜面２２の上から支柱１１を押し込んで、支柱１１の下部に設けた帯片１３を前記傾斜面２２に沿うように押し拡げる。
【００２０】
この作業は、前記スリット１２およびスリット１２の始端部分に設けた小孔（拡径部）１４の存在によって、比較的大きな力を要しないで行うことができる。
また、図２に示すように、前記支柱１１の下部に設けた帯片１３は、前記傾斜面２２に沿うように押し拡げられると同時に、その先端を前記縦孔３１の壁面に向かって押し込まれる。それゆえ、前記支柱１１を縦孔３１に対して一体的に固定することができるようになり、非常に安定した支柱の設置構造を得ることができる。
【００２１】
ｃ）そして、前記筒状の支柱１１の上部からコンクリートＣを流し込み、前記上端開口部分から筒状の埋設構造体２１、および前記縦孔３１にもコンクリートＣを充填する。
その際、前記埋設構造体２１は底部が閉じた容器構造であり、当初は埋設構造体２１の内部にコンクリートＣが充填される。埋設構造体２１の内部にコンクリートＣが完全に充填され、コンクリートＣが行き場を失っても、前記スリット１２上端の小孔１４から前記縦孔３１に流出し、縦孔３１内部にも容易にコンクリートＣが打設される。
同様に、前記支柱１１の上部に適宜間隔に設けた通孔１５を介して、縦孔３１内部にコンクリートＣが打設できる。
【００２２】
ｄ）最後に、太陽電池パネル等の各種の機器は、その脚部の下端に設けたフランジ部を前記支柱１１の上端に設けたフランジ部１６に、ボルトナット等を用いて連結、固定する。
もちろん、この発明は上記開示のごとくに構成されているが、この発明は上記実施例に限定されるものではない。
【００２３】
次に、図４はこの発明の支柱の設置構造の他の実施例を示すものであり、筒状の支柱４１の下部には、筒状でかつ先端が例えば４５°の尖頭状断面５３に形成された埋設構造体５１が配置されている。そして、前記埋設構造体５１の上端開口部分の周囲には、上向きにつぼまる傾斜面５２が形成してあり、前記実施例と同様にして筒状の支柱４１を取り付けることができる。
また、前記埋設構造体５１は底部が４５°の尖頭状断面５３を備えた容器構造であり、地盤に設けた縦孔３１に打ち込むことができ、より強固に地盤内に設置することができる。
もちろん、筒状の支柱４１から前記埋設構造体５１の内部にもコンクリートＣが充填されるようになっており、コンクリートＣの充填後は非常に重い支柱用の基礎となって前記支柱４１を確実に支持することができる。
【産業上の利用可能性】
【００２４】
この発明は以上のように構成されているが、この発明の技術的思想及び目的の範囲から逸脱することなく、以上に述べた実施の形態に対し、形状、材料、数量、その他の詳細な構成において、当業者が様々な変形を加えることができることはいうまでもない。
【００２５】
さらに、上記説明においては太陽電池パネルの設置について述べているが、その他各種機器の。重量物の指示を必要とする場面において適宜利用することができることはいうまでもない。
【符号の説明】
【００２６】
１１  支柱
１２  スリット
１３  帯片
１４  小孔
１５  通孔
１６  フランジ部
２１  埋設構造体
２２  傾斜面
３１  縦孔
４１  支柱
５１  埋設構造体
５２  傾斜面
５３  尖頭状断面
Ｃ  コンクリート
【図１】
2013079536.tif 000003
【図２】
2013079536.tif 000004
【図３】
2013079536.tif 000005
【図４】
2013079536.tif 000006